(57)【特許請求の範囲】
【請求項１】
医薬品の用量を投与するための薬物送達デバイスであって：
−近位端及び遠位端を有するハウジング（１２、２０；１２０）；
−医薬品を含んでなる容器（１６）で、ピストン（１８）がその容器（１６）内に保持される、該容器（１６）；
−用量を設定するために近位方向に変位可能であり、用量を投与するために遠位方向に変位可能であるプッシュプルエレメント（５０；１５０）；
−ハウジング（１２、２０；１２０）に連結され、そしてピストン（１８）と相互作用する遠位端（４２）を有し、プッシュプルエレメント（５０；１５０）に更に連結されるピストンロッド（４０；１４０）；
−プッシュプルエレメント（５０；１５０）の近位への変位をピストンロッド（４０；１４０）の回転運動に変換し、そしてプッシュプルエレメント（５０；１５０）の遠位への変位を、ハウジング（１２、２０；１２０）に対するピストンロッド（４０）の軸方向の運動に変換するための連結エレメント；
を含んでなり、
連結エレメントは、凹部（７０；１７０）及び少なくとも一つの案内及び停止エレメント（６２、６６；１６２）を含んでなり、凹部は、少なくとも１つの案内及び停止エレメントを受け入れるよう適合され、
凹部及び少なくとも１つの案内及び停止エレメントは、ピストンロッド及びデバイスの内部表面に配置されている上記薬物送達デバイス。
【請求項２】
連結エレメントが、プッシュプルエレメント（５０；１５０）と堅く連結される軸方向に伸びるねじ（５４）、及びそのねじ（５４）にねじ係合されるピストンロッド（４０；１４０）の内側ねじ山（７２）を含んでなる、請求項１に記載の薬物送達デバイス。
【請求項３】
請求項１又は２に記載の薬物送達デバイスであって、ピストンロッド（４０；１４０）は、回転がロックされ、そしてプッシュプルエレメント（５０；１５０）の遠位方向への変位中にハウジング（１２、２０；１２０）に対して遠位方向に軸方向に動き、プッシュプルエレメント（５０）の、ハウジング（１２、２０；１２０）に対する近位方向への変
位中に、ピストンロッド（４０；１４０）が軸方向にロックされ、そしてハウジング（１２、２０；１２０）に対して回転する、上記薬物送達デバイス。
【請求項４】
請求項１〜３の何れか一項に記載の薬物送達デバイスであって、少なくとも一つの案内及び停止エレメント（６２、６６；１６２）が半径方向に内側に突出し、そしてピストンロッド（４０；１４０）が、凹部（７０；１７０）を含んでなる半径方向外側に伸びるフランジ（４４、１４４）を含んでなり、ここで凹部が、デバイス（２０；１２０）の内面に配列された、半径方向内側に突出する少なくとも一つの案内及び停止エレメント（６２、６６；１６２）とマッチする、上記薬物送達デバイス。
【請求項５】
請求項４に記載の薬物送達デバイスであって、半径方向内側に突出する案内及び停止エレメント（６２、６６；１６２）が、ハウジング（２０；１２０）に固定された案内スリーブ（３０；１３０）の内面に配列される、上記薬物送達デバイス。
【請求項６】
請求項４又は５に記載の薬物送達デバイスであって、内面が、多数の螺旋状に配置され、半径方向内側に突出する案内及び停止エレメント（６２、６６；１６２）を含んでなる、上記薬物送達デバイス。
【請求項７】
請求項６に記載の薬物送達デバイスであって、案内及び停止エレメント（６２、６６；１６２）の半径方向の配置及び軸方向のサイズが特定の用量のサイズを定める、上記薬物送達デバイス。
【請求項８】
請求項６又は７に記載の薬物送達デバイスであって、案内及び停止エレメント（６２、６６；１６２）が、ピストンロッド（４０；１４０）のフランジ（４４；１４４）の軸方向のサイズと等しいか又はそれを超える軸距離（６８、６９）で間隔を置いて配置される、上記薬物送達デバイス。
【請求項９】
請求項４〜８の何れか一項に記載の薬物送達デバイスであって、その凹部（７０；１７０）に隣接したピストンロッド（４０；１４０）のフランジ（４４；１４４）が、軸方向で遠位方向に伸び、そしてピストンロッド（４０；１４０）の回転の限界を定めるための、案内及び停止エレメント（６２、６６；１６２）に寄りかかるように適合されるストッパ（７４）を含んでなる、上記薬物送達デバイス。
【請求項１０】
請求項１〜９の何れか一項に記載の薬物送達デバイスであって、ピストンロッド（４０；１４０）が、互いに対して軸方向に間隔を置いて配置される、その外周上に複数の環状保持エレメント（４６、４８；１４８）を含んでなる、上記薬物送達デバイス。
【請求項１１】
請求項１０に記載の薬物送達デバイスであって、保持エレメント（４６、４８；１４８）が、周囲突起及び／又は周囲凹部として設計され、そして鋸歯プロファイルを含んでなる、上記薬物送達デバイス。
【請求項１２】
請求項４〜１１の何れか一項に記載の薬物送達デバイスであって、ピストンロッドのフランジ（４４；１４４）及び内面が、互いに対応する軸案内手段（６０、７６；１６０、１７６）を含んでなる、上記薬物送達デバイス。
【請求項１３】
請求項１２に記載の薬物送達デバイスであって、案内手段が、内面上の、半径方向内側に突出し、そして軸方向に伸びる複数の突起（６０；１６０）、及びハウジング（１２、２０；１２０）に対して軸方向にピストンロッド（４０；１４０）を案内するための、半径方向に内側に突出する突起（６０；１６０）を用いてインターロックするように適合されるピストンロッドのフランジ（４４；１４４）上の少なくとも一つの弾性のある尖った
先端（７６；１７６）を含んでなる、上記薬物送達デバイス。
【請求項１４】
請求項１〜１３の何れか一項に記載の薬物送達デバイスであって、ハウジング（１２、２０；１２０）中に配列され、そして近位方向へのピストンロッド（４０；１４０）の変位を妨げるように適合されるロックエレメント（３１）を更に含んでなる、上記薬物送達デバイス。
【請求項１５】
請求項１４及び１０、又はそれに従属する何れかの請求項に記載の薬物送達デバイスであって、ロックエレメント（３１）が円盤状又はリング状の形状のものであり、そしてピストンロッド（４０；１４０）の周囲に配列される、対応する保持エレメント（４６、４８；１４８）と相互作用するように適合された、半径方向内側に突出する少なくとも一つの突起（３２）を含んでなる、上記薬物送達デバイス。
【発明の詳細な説明】
【技術分野】
【０００１】
本発明は、ペン型注射器のような薬物送達デバイスで、医薬品の単回の又は多くの事前設定用量を投与することができる、薬物送達デバイスに関する。本発明は、特に、単回の又は反復制御用量を容器から投与するように適合されている薬物送達デバイスに関する。
【背景技術】
【０００２】
使用者によって操作される薬物送達デバイスは、従来技術においてそれ自体は知られている。それらは、典型的には、正式な医療訓練を受けていない人々、つまり、患者が、ヘパリン又はインスリンのような医薬品の正確なそして事前に定められた用量を投与することを必要とする場合に適用可能である。特に、そのようなデバイスは、短期間又は長期間に亘って、定期的に又は非定期的に医薬品が投与される用途を有する。
【０００３】
これらの要望に適応するために、そのようなデバイスは多くの要求事項を果たす必要がある。第一に、本デバイスは、取り扱いの点で、及び使用者によるその操作及び要求される用量又は薬剤の送達の理解において、構造が堅牢で、なおかつ使用するのが容易でなければならない。用量設定は容易でかつ明瞭でなければならない。デバイスが再利用可能であるよりもむしろ使い捨てされ得る場合、デバイスは製造するのに安価であり、そして廃棄するこの容易である（好ましくはリサイクルに適する）べきである。これらの要求事項を満たすために、デバイスを組み立てるために要求される部材数、及びデバイスが作られる材料の種類の数は最小に保たれる必要がある。
【０００４】
特許文献１には、例えば、容器の可動壁を前方方向に移動するために操作できるピストンロッド配置を有するシリンジ容器用の注射デバイスが開示されている。
【先行技術文献】
【特許文献】
【０００５】
【特許文献１】米国特許第７，３９６，３４７号Ｂ２
【発明の概要】
【発明が解決しようとする課題】
【０００６】
従って、本発明の目的は、医薬品の用量を投与するための改善された又は代替の薬物送達デバイスを供することである。本デバイスは、好ましくは、取扱いにおいて特に容易で直観的であり、正確な投与が可能であり、簡単な内部構造を含み、製造するのに安価であり、そして組み立てるのが迅速で容易であるべきである。多数の事前に定められた医薬品の用量を投与するための薬物送達デバイスを供することが更に好ましい。本デバイスは、好ましくは、組立てられるべき機械的部材の低減された数を含むべきである。更に、薬物送達デバイスは便宜上、機械的に安定でそして堅牢であるべきである。
【課題を解決するための手段】
【０００７】
本発明は医薬品の用量を投与するための薬物送達デバイスを供する。デバイスはハウジングを含む。ハウジングは近位端及び遠位端を有し得る。デバイスは容器を含む。容器はハウジング中に配列され得る。容器は投与されるべき医薬品を含む。ピストンは容器内に留められる。ピストンは、好ましくは、動くことができるように容器中に留められる。薬物送達デバイスの目的次第で、容器の遠位出口は、針、カヌーレ、注入液チューブ又は類似の送達デバイスと係合され得る。容器自身は、交換可能な又は廃棄可能なアンプル、カートリッジ、カープル、又はシリンジとして設計され得る。ピストンは、好ましくは、事前に定められた医薬品の用量を容器から排出するために、遠位方向に、特に、ハウジングに対して遠位方向に、移動可能である。
【０００８】
薬物送達デバイスはプッシュプルエレメントを更に含む。プッシュプルエレメントはハウジングの近位端の回りに滑ることができるように配列され得る。使用者によって押したり引いたりされるように適合され得るプッシュプルエレメントは、用量を設定する又は選択するために、近位方向に、特に、ハウジングに対して、移動可能である。プッシュプルエレメントはハウジングに対する回転運動に抗して固定され得る。用量の設定後、及びプッシュプルエレメントの近位方向への変位後、プッシュプルエレメントは用量を設定するために便宜的に遠位方向に移動可能である。
【０００９】
薬物送達デバイスは、ピストンと相互作用するように適合される、遠位端を有するピストンロッドを更に含む。特に、ピストンロッドの軸方向の移動をピストンに移すために、その遠位端でピストンロッドはピストンに寄りかかり得る。ピストンロッドはハウジング及びプッシュプルエレメントと更に連結される。
【００１０】
薬物送達デバイスには、プッシュプルエレメントの近位への変位をピストンロッドの回転運動に変換するための連結エレメントが更に供される。加えて、連結エレメントはプッシュプルエレメントの遠位への変位を、ハウジングに対する、好ましくは遠位方向への、ピストンロッドの軸方向の運動に変換するように適合される。
【００１１】
このようにして、プッシュプルエレメントは、容易で直観的なそして明確な方法で、用量設定並びに用量投与の両方を供する。プッシュプルエレメントを近位方向に引くことによって、用量、特に、事前に定められた用量が設定又は選択され得る。引き続き、プッシュプルエレメントを反対方向に、例えば、遠位方向に押すことによって、各用量は簡単に調合できて、そして投与できる。
【００１２】
事前に定められた用量設定又は用量選択のプロファイルとは無関係に、用量の設定及び／又は投与のための手順は簡略化され、そして卓越した信頼性を供する。使用者は、取り扱いが容易で、直観的な用量設定及び用量投与を供する用量投与機構を供される。用量設定が、プッシュプルエレメントを引くことによって達成され得るため、そして用量投与が、プッシュプルエレメントを押すくことによって行われ得るため、デバイスの一般的な取り扱いは簡略化される。
【００１３】
第一の実施態様によると、連結エレメントは軸方向に伸びているねじ、及びねじにねじで係合されているピストンロッドの内部ねじを含む。プッシュプルエレメントの軸方向に伸びているねじ及びピストンロッドの内部ねじは、例えば、プッシュプルエレメントの軸方向で非回転の運動がピストンロッドの回転運動に繋がるように、非自己ロックねじ係合のために設計される。このようにして、プッシュプルエレメントの軸方向の動きは、ピストンロッドの唯一の回転運動、又は唯一の軸方向の動き、又は回転及び軸方向の動きの組み合せのどちらかに移すことができる。
【００１４】
更なる実施態様によると、ピストンロッドは回転がロックされ、そしてプッシュプルエレメントの遠位方向への変位中にハウジングに対して遠位方向に軸方向に動く。追加的に又は代替的に、プッシュプルエレメントの近位方向への変位中に、ピストンロッドは軸方向にロックされ、そしてハウジングに対して回転する。典型的には、用量を投与する初期状態又はその後において、プッシュプルエレメントはハウジングの近位端に置かれる。所定の用量を設定又は選択するために、プッシュプルエレメントはそれが停止位置に達するまで、近位方向に引くことができる。近位方向へのこの軸方向の動きの最中に、ピストンは軸方向にロックされて留まり、そして、プッシュプルエレメントとのそのねじがきられた係合のために、それはその縦軸の回りにある角度だけ回転する。
【００１５】
この回転によって、そして好ましくは、停止位置に達する時に、ピストンロッドは軸方向に開放され、また回転がロックされる。プッシュプルエレメントとピストンロッドの間の連結のせいで、そしてピストンロッドの制約された誘導のせいで、プッシュプルエレメントの遠位方向への軸方向の移動は、所定の用量を投与するために、ピストンロッドに、ひいてはピストンに直接、移すことができる。プッシュプルエレメントが再びその初期の位置、つまり、遠位位置に達するや否や、ピストンロッドは、引き続く用量設定手順のために再び回転的に開放され、そして軸方向にロックされるようになる。
【００１６】
典型的には、ピストンロッドは軸方向にロックされるか又はハウジングに対して回転がロックされるかのどちらかである。各々の交替は、典型的には、用量設定手順の終わりに、又は用量投与作用の終わりに開始される。
【００１７】
更なる好ましい実施態様によると、連結エレメントは凹部及び少なくとも一つの案内及び停止エレメントを含む。典型的には、凹部、並びに少なくとも一つの案内及び停止エレメントの寸法及び幾何形状は互いに合致する（match）。例えば、凹部は、少なくとも一つの案内及び停止エレメントを受けるように適合される。
【００１８】
凹部、並びに案内及び停止エレメントは、ピストンロッド及びデバイスの内面、例えば、ハウジングの内面に配置される。特別な実施態様において、典型的には内面に配列される案内及び停止エレメントは二つの機能を供し得る。一方で、それはピストンロッドの軸方向の、特に遠位の運動の限界を定めるための停止エレメントとして役立つ。他方で、もし、案内及び停止エレメント及び各凹部が並んで配置されているならば、案内及び停止エレメントによってピストンロッドのハウジングに対する所定の軸方向の移動が可能になるであろうが、同時にそれはピストンロッドの回転運動を妨害するであろう。
【００１９】
好ましくは、ピストンロッドは凹部を含む半径方向に外側に伸びているフランジを含み、ここで凹部は、半径方向に内側に突出する少なくとも一つの案内及び停止エレメントに一致され、その後者は、好ましくは、ハウジングの内面に配列される。ピストンロッドの外側に伸びているフランジは、好ましくは、ピストンロッドの近位端に配置される。その凹部、並びに半径方向に内側に突出するハウジングの案内及び停止エレメントは、ピストンロッドのフランジ及びピストンロッド全体が段階的に遠位方向に移動できるように、一種のキーロック機構を供する。
【００２０】
ハウジングに対するピストンロッドの適切な回転運動を用いて、ピストンロッドの凹部は案内及び停止エレメントとの軸方向に並べることができる。凹部、並びに案内及び停止エレメントが互いに対応する外部輪郭を有する故に、ピストンロッドは前進され得て又は遠位方向に駆動できて、その移動の最中にピストンロッドの凹部はこの特別な案内及び停止エレメントに沿って通過する。そのような通過の際に、ハウジングに対するピストンロッドの更なる回転運動が、ピストンロッドの凹部と少なくとも一つの案内及び停止エレメントの係合によって防がれる。
【００２１】
典型的な実施態様において、連結エレメントは、互いに対して軸方向に距離を離して配列された多くの案内及び停止エレメントを含む。これらの多数の案内及び停止エレメントは、典型的には軸方向に千鳥状に並べられる。このようにして、その半径方向に伸びているフランジを有するピストンロッドは、フランジの凹部が軸方向に並べられている第一の案内及び停止エレメントに沿って通過し得る。もし、隣接した案内及び停止エレメントがこの第一の案内及び停止エレメントと共に並べられていないならば、ピストンロッドのフランジの残留部分がこの第二の案内及び停止エレメントに寄りかかるであろう故に、この第二の案内及び停止エレメントがピストンロッドの軸方向の移動の限界を定めるためのストッパーとして役立つであろう。
【００２２】
本発明の別の好ましい実施態様によると、半径方向に内側に突出する少なくとも一つの案内及び停止エレメントは、薬物送達デバイスのハウジング中に固定された案内スリーブの内面に配列される。案内スリーブは、好ましくは、スリーブの内面で事前に定められたパターンに配置されている多くの案内及び停止エレメントを含む。キーロック機構の見地から、案内スリーブはロックとして作用し、一方、そのフランジ及び凹部を有するピストンロッドは、もし適切に並べられそして回転されるならば、軸方向に遠位方向に動くことができる鍵に対応する。
【００２３】
好ましい実施態様において、案内及び停止エレメントのパターンは所定の用量のシーケンス及びサイズを支配する。このようにして、案内スリーブの設計及び実施態様が、例えば、デバイスによって投与されるべき用量の数及びサイズに対して重要になる。例えば、各々が特定のそして異なる機械的コードを提供する、異なる種類の案内スリーブ及び対応するピストンロッドを使用することによって、薬物送達デバイスは単に案内スリーブとピストンロッドを交換することによって、種々の異なる構成で供することができる。
【００２４】
使い捨てのペン型注射器として薬物送達デバイスが設計される場合、単純に適切な案内スリーブを使用することによって、異なる構成の完全な組みが供することができ、一方、他のすべてのコンポーネント、特に、ハウジング及びプッシュプルエレメントは実質的に変更なしに残される。
【００２５】
本発明の別の好ましい実施態様によると、案内スリーブの内面又はハウジングの内面は、多くの螺旋的に配置された、半径方向に内側に突出する案内及び停止エレメントを含む。特に、隣接した案内及び停止エレメントは或る軸方向の距離で配列される。更に、隣接した案内及び停止エレメントは、案内スリーブの内周に対して角度オフセットで配列される。このようにして、ピストンロッドの凹部が各案内及び停止エレメントと合致するや否や、各案内及び停止エレメントによってピストンロッドの明確な軸方向の移動が可能になる。この軸方向の動きによって、次いで、ピストンロッドのフランジと相互作用している引き続く案内及び停止エレメントによって、この軸方向の動きの境界が定められる。
【００２６】
引き続く用量設定手順中に、ピストンロッドは、フランジの凹凸部が引き続く案内及び停止エレメントに再び並ばれるまで、ほぼ所定の角度を回転する。そのような並びが達成されるや否や、この引き続く案内及び停止エレメントも、ピストンロッドの別の軸方向の移動、ひいては所定の用量の別の投与を可能にする。
【００２７】
更なる実施態様に従えば、連続的に配置された案内及び停止エレメントの軸方向のサイズ及び／又は軸方向の距離が各用量のサイズを定める。案内及び停止エレメントの軸方向の寸法、並びにそれらの軸方向の距離によって、近位方向へのピストンロッドの段階的な軸方向の動きの段階的サイズが定められかつ支配される。種々の案内及び停止エレメントのサイズ、距離及び／又は配置に依存して、医薬品に対する所定の投与プロファイルが供することができる。もし、例えば、投与すべきどの用量もサイズが同じであったら、単に全ての案内及び停止エレメントの軸サイズを実質的に同じにするだけである。加えて、それらは軸方向に同じ距離で配置される。
【００２８】
異なるサイズの複数の制御された注射が要求される別の場面において、案内及び停止エレメントのサイズ、角度配置及び軸方向の距離は、対応して変わり得る。例えば、用量サイズが各投与された用量と共に増加すべきことも考えられ得る。この要求事項は、例えば、遠位方向に軸方向の距離が増えて配列された多くの案内及び停止エレメントを有する案内スリーブを用いて満たすことができる。種々の案内及び停止エレメントの軸サイズ、角度配置及び／又は軸方向の距離を変えることによって、その各々が異なるサイズの用量を有する複数の制御された注射がよく定義された方法で投与できる。
【００２９】
別の好ましい実施態様によると、連続的な案内及び停止エレメントは、ピストンロッドのフランジの軸方向のサイズと等しいか又はそれを超える軸距離で間隔を置いて配置される。これは、用量投与工程の最後にピストンロッドのフランジが引き続く案内及び停止エレメントと寄りかかるとき、ピストンロッドと案内及び停止エレメントの間の回転的な係合解除を供することである。そのような隣接構成が達されるや否や、ピストンロッドのフランジは上記案内及び停止エレメントに沿って完全に通過する。従ってフランジの凹部は、もはや上記案内及び停止エレメントと係合せず、そして凹部が引き続く案内及び停止エレメントと並べられるまで、ピストンロッド全体が或る角度に対して自由に回転する。
【００３０】
更なる好ましい実施態様に従えば、その凹部の隣接したピストンロッドのフランジは、遠位方向に軸方向に伸びる、そしてピストンロッドの回転の限界を定めるための案内及び停止エレメントに寄りかかるように適合されるストッパーを含む。このストッパーは、好ましくは、プッシュプルエレメントを近位方向に引くことによって開始された、用量設定行動中の、ピストンロッドの回転運動の限界を定めることを意図される。
【００３１】
ピストンロッドのフランジ及びストッパーの軸方向の寸法は共に、連続する案内及び停止エレメントの間の軸方向の距離を超える。ストッパーを用いて、ピストンロッドの回転運動が、その中にフランジの凹部が各案内及び停止エレメントと並べられる角度位置で限界を定められる。好ましくは、ストッパーの隣接表面はフランジの凹部の境界と並ぶ。
【００３２】
本発明の別の好ましい実施態様によると、ピストンロッドは、その外周上に複数の環状保持エレメントを含んでなる。これらの環状保持エレメントは、互いに対して、軸方向に間隔を置いて配置される。それら特に、用量設定手順中プッシュプルエレメントが近位方向への変位下に置かれる場合、ピストンロッドを所与の軸方向の位置に保持するように更に適合される。環状保持エレメントの間の軸方向の距離又は間隔は、ハウジング又は各案内スリーブの案内及び停止エレメントのパターン、サイズ及び距離によって典型的には支配される。従って、案内及び停止エレメントのパターンに依存して、ピストンロッドの環状保持エレメントも等距離でスペースを開けられ得るか、又は連続する環状保持エレメントの間の軸方向の距離が、案内及び停止エレメントのパターンのサイズ及び距離に従って変わり得る。
【００３３】
更なる実施態様において、保持エレメントは、周囲突起及び／又は周囲凹部として設計される。それらは、周囲の切り込み又は溝を含み得て、又はそれらは各環状突起又は取っ手を含み得る。好ましくは、軸断面において、保持エレメントは一種の鋸歯プロファイルを含む。このようにして、保持エレメントはピストンロッドの、ハウジングに対する一方向性の軸方向の動きを供することができる。詳細には、鋸歯プロファイルは遠位方向へのピストンロッドの軸方向の動きを支え、そして近位方向へのピストンロッドの反対の動きを防いで妨害するために役立つ。保持エレメントを用いて、一種のラチェット機能が供することができる。
【００３４】
更に別の実施態様において、ピストンロッドのフランジ及びハウジングの内面又は各案内スリーブの内面は、互いに対応する軸案内手段を含む。フランジの凹部及び種々の案内及び停止エレメントの案内機能に加えて、これらの軸案内手段によって軸方向の追加の案内機能が供される。更に、ピストンロッドのフランジの軸案内手段、及びハウジング又は案内スリーブのどちらかの内面は、特に、用量投与手順中の、ハウジングに対するピストンロッドの回転ロックを供するか又は向上させ得る。更に、軸案内手段は、用量設定中のピストンロッドの一方向性回転を可能にするために、そして用量投与中の反対の回転運動を阻止しそして防ぐように更に適合される。特に、ピストンロッドのフランジが隣接した案内及び停止エレメントの間のギャップに位置付けられるとき、用量投与手順の最後で、上記軸案内手段によって、プッシュプルエレメントを引く動きに対応してピストンロッドの回転が可能になる。
【００３５】
この用量設定中に、軸案内手段は、ピストンロッドが所定の角度だけ回転し終わるまで、一時的に係合解除できる。ピストンロッドが停止位置、特に、角度停止位置に達するや否や、軸案内手段は、特に引き続く用量投与の始めでのピストンロッドの反対向きの回転運動を防ぐために、再度係合し得る。
【００３６】
更なる好ましい実施態様において、これらの案内手段は、ハウジングの内面上の、又は案内スリーブの各内面上の、半径方向に内側に突出する、そして軸方向に伸びている複数の突起を含む。更に、案内手段はピストンロッドのフランジ上に少なくとも一つの先端を含む。この先端は、ハウジングに対して軸方向にピストンロッドを案内するために、半径方向に内側に突出する突起を用いてインターロックするように適合される。好ましくは、先端は弾性的である。典型的には、もし幾つかの弾性的な先端が供されるならば、それらはフランジの周囲に規則正しく配置されるであろう。もし、例えば、二つの弾性的な先端が供されるならば、それらは、好ましくは、ピストンロッドのフランジの反対側、つまり、１８０度の相対角度で配置される。
【００３７】
内側に突出する、そして軸方向に伸びている突起は、対称的な又は非対称的な形状を有し得る。好ましくは、それらは鋸歯プロファイルを含み得る。ピストンロッドのフランジ上の対応する先端との相互作用において、軸案内手段は、ハウジング中又は各案内スリーブ中で、ピストンロッドの一方向性回転を供し、一方、反対向きの回転は阻止される。軸案内手段の内側に突出する突起の半径方向の寸法は、典型的には、半径方向に内側に突出する案内及び停止エレメントの半径寸法よりもずっと小さい。更に、半径方向に内側に突出する各突起は少なくとも案内及び停止エレメントによって横切られ得る。また、案内及び停止エレメントの数は半径方向に内側に突出する突起の数に少なくとも等しい。
【００３８】
半径方向に内側突出する突起である案内及び停止エレメントの寸法及び配置、並びにピストンロッドのフランジ、その凹部及び環状保持エレメントの幾何形状及びサイズは互いに調節される。このようにして、ピストンロッドのフランジの先端は、案内及び停止エレメントに寄りかかるピストンロッドのストッパーによって、ピストンロッドの回転運動が丁度限界を定められるとき、ハウジングの半径方向に内側に突出する突起とインターロックし得る。
【００３９】
加えて、弾性のある先端、及びハウジング又は各案内スリーブの軸方向に伸びている突起は、そのことによって用量投与行動が実行され得る、事前に定められた停止位置にピストンロッドが到達したことを使用者に示している、クリックノイズのような聞き取れるフィードバックを発生するために都合よく適合される。
【００４０】
別の好ましい実施態様によると、薬物送達デバイスは、ハウジング中に配列され、そして近位方向へのピストンロッドの移動を阻止するように更に適合されたロックエレメントを更に含む。このロックエレメントは、ピストンロッドの環状保持エレメントと相互作用するように特に適合される。それは金属コンポーネントとして設計され得る。ロックエレメントはハウジング中に、例えば、最も遠く遠位の近くに配置された案内及び停止エレメント中に配列され得る。分離したコンポーネントの代わりに、このロックエレメントも、ハウジングの又は各案内スリーブの部分として統合的に設計され得る。それはハウジング中の案内スリーブの遠位端の近くに配列され得る。
【００４１】
また、更なる実施態様において、このロックエレメントは円盤状又はリング状の形のものであり、そしてピストンロッドの周囲で配列された対応する保持エレメントと相互作用するように適合された、半径方向に内側に突出する少なくとも一つの突起を含む。ロックエレメントはピストンロッドを取り囲むように特に更に適合され得る。ロックエレメントはピストンロッドの環状保持エレメントと共に、遠位方向へのピストンロッドの軸方向の移動を可能にするために、しかし近位方向への逆の動きを防ぐように、好ましくは、適合される。
【００４２】
ロックエレメントである保持エレメントの配置及び設計、並びに案内及び停止エレメントのパターンは、引き続く案内及び停止エレメントに寄りかかるピストンロッドのフランジによって用量投与工程が停止されるや否や、ロックエレメント及びピストンロッドの環状保持エレメントが互いに係合するようになされる。ここでまた、ロックエレメントと環状保持エレメントの係合によって、引き続く用量設定手順のためのデバイスの準備ができていることを示している、聞き取れるクリックノイズが生じ得て、ここでピストンロッドは自由に回転するが、ロックエレメントとピストンロッドの環状保持エレメントの相互作用を用いてその軸方向の位置で保持される。
【００４３】
本発明の精神及び範囲から逸脱することなく、本発明に種々の修正及び変更がなされ得ることは当業者には明らかであろう。更に尚、添付の請求範囲において使用される如何なる参照符号も、本発明の範囲を制限するものと解釈されるべきでない。
【００４４】
如何なる制限もなしに、好ましい実施態様と関連付け、そして図面を参照して、本発明を以下により詳細に説明する。ここで：
【図面の簡単な説明】
【００４５】
【図１】展開図において薬物送達デバイスの種々のコンポーネントを模式的に説明する。
【図２】その近位端から見た斜視図において案内スリーブを示す。
【図３】その遠位端から見た図２に従う案内スリーブを示す。
【図４】螺旋状に配置された案内及び停止エレメントを有する案内スリーブの別の斜視及び半透明な図を示す。
【図５】斜視図においてピストンロッドを示す。
【図６】その近位端から見たピストンロッドの別の斜視図を描く。
【図７】凹部を有するピストンロッドのフランジを拡大図においてを示す。
【図８】ハウジングの遠位部分を模式的に示す。
【図９】ハウジングの近位部分を斜視図において示す。
【図１０】ロックエレメントを描く。
【図１１】図１０に従うロックエレメントを斜視側面図において示す。
【図１２】堅く取り付けられたねじを有するプッシュプルエレメントを示す。
【図１３】図１２に従うプッシュプルエレメントを断面図において示す。
【図１４ａ】容量設定手順の前の構成における薬物送達デバイスの斜視断面図を示す。
【図１４ｂ】横断面における図１４ａの構成を示す。
【図１５ａ】容量設定手順の後の図１４に従うデバイスを示す。
【図１５ｂ】横断面における図１５ａの構成を示す。
【図１６ａ】容量投与手順中又は後の図１４及び１５に従うデバイスを説明する。
【図１６ｂ】横断面における図１６ａの構成を示す。
【図１７ａ】第一の用量投与の後の薬物送達デバイスの斜視断面図を描く。
【図１７ｂ】縦断面における図１７ａの構成を示す。
【図１８ａ】最後の用量が投与された後の薬物送達デバイスを示す。
【図１８ｂ】縦断面における図１８ａの構成を示す。
【図１９】第一の用量投与後の薬物送達デバイスの別の簡略化された実施態様を示す。
【図２０】最後の用量が投与された後の図１９の実施態様を示す。
【図２１ａ】図１９及び２０に従う実施態様を斜視断面図において描く。
【図２１ｂ】横断面における図２１ａの構成を示す。
【発明を実施するための形態】
【００４６】
ペン注射器型の薬物送達デバイス１０の第一の実施態様が図１における展開図において説明される。薬物送達デバイス１０は、近位ハウジング２０及び遠位コンポーネント１２を有するハウジングを含む。両方のコンポーネント１２、２０はスリーブ状の円筒幾何形状を有する。遠位コンポーネント１２は、投与されるべき医薬品を含む容器１６を収容するように適合される。容器１６は、アンプル、カープル、カートリッジ又はその他のシリンジ状容器として設計され得る。従って、遠位ハウジングコンポーネントはカートリッジホルダとして役立つ。
【００４７】
その遠位端で、ハウジング又はカートリッジホルダ１２はソケット１４を有し、それは段階的に小さくなる首部分として設計され、そして内部隣接部で、容器１６の対応するソケット部分を供する。その外側で、ソケット１４は注射針、カヌーレ等の台として役立つねじを含む。
【００４８】
その近位端で、容器はピストン１８（図１７及び１８を参照）を有し、それは医薬品のよく定義された用量を排出しそして投与するために、ピストンロッド４０を用いて遠位方向に段階的に押されることになる。
【００４９】
図８、９、１７及び１８から更に見ることができるように、遠位ハウジングコンポーネント１２及び近位ハウジングコンポーネント２０はポジティブロックを用いて互いに係合できる。この目的のために、遠位ハウジングコンポーネント１２は、その近位端の外周で多くの凹部２２を含む。従って、近位ハウジングコンポーネント２０はその遠位内面で、遠位ハウジングコンポーネント１２の凹部２２内に嵌合するために、そしてそれと一致するように適合された、対応する戻り止めエレメント２４を含む。更に、遠位ハウジングコンポーネント１２は、近位ハウジングコンポーネント２０の遠位端面に対する隣接部として役立つ環状カラー２６を含む。
【００５０】
薬物送達デバイス１０は、好ましくは、使い捨てデバイスとして設計され、ここで最後の用量が投与された後、全部のデバイス１０が廃棄されることが意図される。この場合、全部のデバイス１０はリサイクル処理にかけられるであろうが、ここで、近位ハウジングコンポーネント２０中に配列された駆動機構は再使用できる。または、例えば、遠位及び近位ハウジングコンポーネント１２、２０のポジティブロックによって、全部の薬物送達デバイス１０が、例えば、空の容器１６を交換する目的で解体されこともあり得るであろう。従って、本デバイスは再使用可能なデバイスとしても設計され得るであろう。
【００５１】
スリーブ状の近位ハウジングコンポーネント２０は案内スリーブ３０を受け取るように適合され、それは図２、３及び４において詳細に示されている。図１４、１５及び１６において見ることができるように、その近位端で案内スリーブ３０は、ハウジングコンポーネント２０の近位端で、対応する凹部３９内に嵌合する種々の戻り止めエレメント又は突起３８を含む。更に、案内スリーブ３０は、その外部表面で軸方向に伸びている突起６４を含む。この突起６４は対称的な破断エレメントの機能を有し、そしてハウジングコンポーネント２０の内面で各々の切り欠きと一致する。この突起６４のおかげで、案内スリーブ３０は、よく定義された向きにおいてのみ、近位ハウジングコンポーネント２０内に挿入できる。
【００５２】
図２、３、及び４において説明されたように、案内スリーブ３０は、その内面で、半径方向に内側に突出する種々の案内及び停止エレメント６２、６６を含む。案内及び停止エレメント６２、６６は幾分矩形の又は台形の形を有する。案内及び停止エレメント６２、６６は異なる軸位置に配置され、ここで隣接した案内及び停止エレメント６２、６６の間に軸方向のギャップ６８が形成される。更に、隣接した案内及び停止エレメント６２、６６は、円周で角度オフセットされて配置される。このようにして一連の案内及び停止エレメント６２、６６は、螺旋を描く。
【００５３】
容器１６のピストン１８と相互作用しているピストンロッド４０は、案内スリーブ３０中に案内される。これは、図５、６、及び７において、詳細に示されている。その遠位面４２を用いて、ピストンロッド４０は、例えば、図１７及び１８において説明されたように、ピストン１８に寄りかかる。その反対側の近位端で、ピストンロッド４０は半径方向に外側に伸びているフランジ４４を含む。フランジ４４の直径は、案内スリーブ３０の内径に対応する。更に、フランジ４４は、案内スリーブ３０の種々の案内及び停止エレメント６２、６６の横断幾何形状に一致する凹部７０を含む。
【００５４】
軸方向に隣接した案内及び停止エレメント６２、６６の間のギャップ６８が、ピストンロッドのフランジ４４の軸サイズを少し超える故に、ピストンロッド４０は、段階的に交互の軸運動及び回転運動において、案内スリーブ３０を通って軸方向に遠位方向に移動できる。案内及び停止エレメント６２、６６の定義されたパターンを有する案内スリーブ３０、及びそのフランジ４４を有するピストンロッド４０は、複数の制御されたそしてよく定義された用量を容器１６から投与する目的で一種のキーロック機構を供する。
【００５５】
例えば、図１５においてそれが説明されているように、ピストンロッドのフランジ４４の凹部７０が案内及び停止エレメント６２、６６と適切に並べられるや否や、例えば、図１６において説明されているように、ピストンロッド４０は、フランジ４４が隣接した案内及び停止エレメントに寄りかかるまで、遠位方向に移動できる。そのような停止位置に到達すると、フランジ４４は典型的には二つの隣接した案内及び停止エレメント６２、６６の間のギャップ６８中に配列される。このようにして、ピストンロッド４０は、原則として、或る角度だけ回転され得て、一方、それは軸方向にはロックされて留まる。凹部の凹部７０が案内スリーブ３０の次の案内及び停止エレメント６２、６６と並べられるや否や、別の用量投与が実行できる。
【００５６】
案内及び停止エレメント６２、６６は複数の機能を供する。一方で、案内及び停止エレメント６２、６６はピストンロッド４０のフランジ４４と共に、案内スリーブ３０に対するピストンロッド４０の軸方向の動きの限界を定めるための停止部を供する。他方で、ピストンロッド４が遠位方向に移動させられることになる用量投与工程中に、凹部７０と案内及び停止エレメント６２、６６の間の係合によって、ピストンロッド４０の回転運動が阻止される。
【００５７】
ピストンロッド４０の両方の交互の運動、つまり、併進運動及び回転運動は、近位ハウジングコンポーネント２０の近位端で滑り得るように配置されたプッシュプルエレメント５０を用いて行われる。プッシュプルエレメント５０は、図１２、１３、１７及び１８において説明されているように、ねじ５４に堅く連結される。ねじは、ハウジングの近位端の内径と一致する直径を有する、半径方向に広げられた円筒部分５１を用いて統合的に形成される。ねじ５４はピストンロッド４０の内側ねじ山７２とねじで係合される。プッシュプルエレメント５０は、図９及び１２の組合せによって説明されているように、互いに対応するリブ２８及び切り欠き５２を用いて、近位ハウジングコンポーネント２０の近位端近くに軸方向に案内される。このようにして、プッシュプルエレメント５０の制約された軸案内が供することができる。
【００５８】
ねじ５４及び内部ねじ山７２は、非自己ロック性のねじが切られた係合として設計される。従って、その堅く取り付けられたねじ５４と一緒に近位方向にプッシュプルエレメント５０を引くことによって、用量を設定する目的でのピストンロッド４０の回転運動が開始できる。
【００５９】
更に、プッシュプルエレメント５０を遠位方向に反対方向へ押す動きは、事前に定められた用量を投与する目的での遠位方向へのピストンロッド４０の各軸方向の移動において直接移すことができる。
【００６０】
ねじ５４、ピストンロッド４０の対応する内側ねじ山７２並びに案内及び停止エレメント６２、６６は、ハウジング２０又は各案内スリーブ３０に対して、プッシュプルエレメント５０の近位への変位をピストンロッド４０の回転運動に、及びプッシュプルエレメント５０の遠位への変位をピストンロッドの軸方向の運動に変換する連結エレメントとして役立つ。
【００６１】
用量設定手順中にピストンロッド４０の限られた回転運動を供するために、そして用量投与手順中にピストンロッド４０の限られた軸方向の動きを供するために、薬物送達デバイス１０は種々の追加的な保持手段及び案内手段を含む。
【００６２】
図２、３、４、１４、１５及び１６において更に見ることができるように、案内スリーブ３０は、案内及び停止エレメント６２、６６を横切っている又は案内及び停止エレメントによって遮られるその内面上に、軸方向に伸びている種々の突起６０を含む。突起６０は、ピストンロッドのフランジ上の少なくとも一つの弾性的な先端７６と相互作用するように適合される。先端７６及び対応する突起６０は、用量投与中に、ピストンロッド４０の追加の軸方向の案内を供するように適合される。更に、ピストンロッド４０のフランジ４４の外周上の弾性的な先端７６は、用量を設定するために要求される回転と反対の方向へのピストンロッド４０の回転運動を妨害するために役立つ。
【００６３】
この目的のために、軸方向に伸びている突起６０は鋸歯状の三角形を有する。図１４、１５及び１６において説明された構成を比較すると、対応する突起６０及び先端７６の設計は、先端７６が常に突起６０の鋭い端部に寄りかかる故に、ピストンロッド４０の時計回りの回転運動は許され、一方、反時計回りの回転運動は阻止されるようになされる。加えて、弾性的な先端７６と対応する突起６０の相互作用によって、聞き取れるノイズが発生し、そうしてデバイス１０が用量を投与する準備ができていることを示す。
【００６４】
加えて、図１０及び１１において詳細に説明されているように、デバイス１０はロックエレメント３１を含む。円盤状又は環状の形をしているロックエレメント３１は、図１７〜２０において説明されているように、ハウジングコンポーネント２０中に配列される。それはピストンロッド４０を受けるように適合される貫通孔３６（through hole）を含む。ロックエレメント３１は、円状セグメント構造を有する半径方向に内側に向いている突起又は突出物３２を更に有する。突出物の間にギャップ３４があり、突出物が軸方向に曲げられることが可能になる。
【００６５】
図１１において説明されているように、初期の構成において、突起３２は遠位方向に少し突き出る。突起３２はピストンロッド４０の外部表面上の対応する周囲突起４６、４８と相互作用するために更に適合される。好ましくは、環状保持エレメント４６、４８として役立つこれらの周囲突出は、隆起している端部が遠位方向を向き、そして鋭い端部が近位方向を向いている鋸歯プロファイルを軸方向に有する。
【００６６】
ロックエレメント３１は常に、ハウジング２０に対する、又はその各案内スリーブ３０に対するピストンロッド４０の回転運動を可能にする。更に、ロックエレメント３１は遠位方向へのピストンロッド４０の軸方向の移動を可能にする。ロックエレメント３１とピストンロッド４０の環状突起４６、４８の係合は、近位方向へのピストンロッド４０の軸方向の動きを妨害するように適合される。
【００６７】
この軸方向のロックは、もし、そうでなくてピストンロッド４０が軸方向にロックされないとすれば、それが近位方向へ動き得て、ピストン１８から分離する故に、プッシュプルエレメント５０を引っ張る動きの最初で特に重要である。ロックエレメント３１を用いて、ピストンロッド４０のそのような近位運動が防がれ得て、そしてプッシュプルエレメント５０を引くことがピストンロッド４０の回転運動に完全に移すことができる。
【００６８】
回転運動の限界を定めるために、ピストンロッド４０は、図７において詳細に示されているように、遠位方向に軸方向に伸びているそのフランジ４４上でストッパー７４を更に含む。ストッパー７４は投与設定手順の最後に案内及び停止エレメント６２、６６に寄りかかるように適合される。加えて、先端７６が各軸方向の突起６０と相互作用して、聞き取れるフィードバックを供し、用量設定手順が終了し、そして用量投与手順が開始され得ることを合図することが意図されている。図７において示されているように、ストッパーがフランジの凹部７０に隣接して配列されるため、ストッパー７４が各案内及び停止エレメント６２、６６に寄りかかるや否や、案内及び停止エレメント６２、６６及び凹部７０の適切な並びが達成される。
【００６９】
容量設定中のピストンロッド４０の回転運動が、図１４及び１５の比較によって説明される。引き続く用量の投与後又は投与中の構成が図１６ａ及び１６ｂにおいて説明される。図１５ａ及び１５ｂを比較すると、ピストンロッド４０及びそのフランジ４４は、フランジ４４が、隣接した案内及び停止エレメント６２、６６に寄りかかるまで、近位方向に所定の距離を動いている。例えば、案内及び停止エレメント６２、６６を用いた、並びに弾性的な先端７６及び軸方向に伸びている突起６０の形態をした軸案内手段を用いた用量投与中に、ピストンロッド４０が回転がロックされる故に、プッシュプルエレメント５０の遠位方向への軸方向の動きは、ピストンロッド４０のひいてはピストン１８の対応する遠位への変位に直接、移される。
【００７０】
そのような用量投与の端部で、つまり、ピストンロッド４０の遠位での移動時に、そのフランジ４４は、隣接した案内及び停止エレメント６２、６６に寄りかかる。更に、ロックエレメント３１はピストンロッド４０の環状突起４６、４８を用いてインターロックし、用量投与手順の最後に到達したことを示す聞き取れるノイズがそれに伴われ得る。このインターロックによって、ピストンロッド４０は両方の軸方向にロックされる。ロックエレメント３１によって近位方向の軸方向の動き及びフランジ４４の隣接が阻止され、そして案内及び停止エレメント６２、６６によって用量設定中の遠位方向の軸方向の動きが阻止される。
【００７１】
容量のサイズ、ひいては用量投与中に投与されるべき医薬品の量は、案内及び停止エレメント６２、６６の軸方向の寸法によって定められる。図１〜１８に記載の実施態様において、案内及び停止エレメント６２、６６では軸方向の長さ及び距離が変わる。加えて又は代替法として、用量のサイズは隣接した案内及び停止エレメント６２、６６の軸距離６９によって定めることができる。更に、ピストンロッド４０とロックエレメント３１の適切なインターロックを有するために、ピストンロッド４０の隣接した４６、４８の軸方向の距離は、各案内及び停止エレメント６２、６６の軸方向の距離及び／又はサイズに対応する。
【００７２】
図４、５及び６において更に見ることができるように、隣接した案内及び停止エレメントの軸距離６９は、ピストンロッド４０の隣接した円周の環状突起４６、４８の間の軸方向の距離と同様に、軸方向において変わる。このようにして、連続する容量のサイズは案内及び停止エレメント６２、６６及び各環状突起４６、４８のパターン及び設計に従って変わり得る。近位方向へのプッシュプルエレメント５０の同じ併進運動に常に伴われて、用量設定中に同じ回転運動を常に供するために、案内及び停止エレメント６２、６６の距離又はサイズが増すと共に、案内スリーブ３０の内面でのそれらの相対的な角度オフセットは一定に留められ得る。
【００７３】
他の実施態様において、連続して配置された案内及び停止エレメント６２、６６の角度オフセットがそれらの軸方向のサイズ及び／又はそれらの互いの軸方向の距離と共に変わることも考えられ得る。これは、プッシュプルエレメント５０の対応する変化する併進運動に伴われる連続する容量投与手順中の、ピストンロッドの変化する回転運動に繋がり得る。
【００７４】
異なる距離にある案内及び停止エレメント６２、６６、及び各々の環状突起４６、４８を使用することによって、事前に定められた用量投与スキームに従って、引き続いて投与されるべき用量がサイズにおいて変わり得る。このようにして、用量サイズが徐々に又は段階的に増減することが、案内スリーブ３０の案内及び停止エレメント６２、６６の適切な事前に定められたパターンを使用することによって供することができる。このようにして、末端使用者は投与されるべき用量サイズを手動で設定又が選択する必要がなくなる。用量サイズは、案内スリーブ３０及びその対応するピストンロッド４０において機械的に暗号化される。
【００７５】
このようにして、薬物送達デバイスは、適切な案内スリーブ３０及びピストンロッド４０を、ただ使用することによって、異なる容量投与スキームに万能的に適合できる。薬物送達デバイス１０の全ての他のコンポーネントはこのようにして変えられずに残され得る。図３及び４において更に見ることができるように、案内スリーブ３０はその遠位端で最後の用量停止部６３を含み、それは、ピストンロッド４０のために軸方向及び半径方向の案内手段として役立つように適合された、フランジ状の半径方向に内側に突出する案内エレメント６５内に伸びる。
【００７６】
最後の用量停止部６３は、丁度案内スリーブ３０の端部へと遠位方向に伸びる。図１８ａ及び１８ｂにおいて説明されているように、最後の用量が投与されるとき、ピストンロッドのフランジ４４の凹部７０はこの最後の用量停止部６３とまだ相互作用する。このようにして、ピストンロッド４０は、用量投与の後でさえ、回転がロックされた状態に残される。
【００７７】
この回転のロックのせいで、及び所望ならば追加の、ロックエレメント３１を用いた軸方向のロックのせいで、プッシュプルエレメント５０の別の用量設定の動きが阻止される。この場合、薬物送達デバイス１０全体が廃棄され又は一新されなければならない。
【００７８】
図１７ａ及び１７ｂにおいて説明されているように、ロックエレメント３１は、ハウジングコンポーネント２０のソケットと案内スリーブ３０の環状端面の間に配列できる。ロックエレメント３１は金属で作ることができる。また、それは案内スリーブ３０又はハウジングコンポーネント２０のどちらかと統合的に形成できる。案内スリーブ３０、ハウジングコンポーネント２０並びにピストンロッド４０は、好ましくは、射出成形プロセスを用いることによって熱可塑性エラストマーで作られる。
【００７９】
説明された実施態様に代わり、案内スリーブ３０及びハウジングコンポーネント２０は単一片として製造できる。しかしながら、案内スリーブ３０を使用することによって、種々の異なる用量投与スキームの観点でより大きな程度の相互運用性が達成できる。
【００８０】
図５、６、１７ａ及び１７ｂにおいて更に説明されているように、ピストンロッド４０はその外周で、半径方向に拡大されたカラー４９を含む。このようにして、ピストンロッド４０は、第一の用量が設定され又は投与される前でさえ、半径方向に固定されそして半径方向に芯合わせできる。図９、図１７ａ及び１７ｂにおいて説明されているように、近位ハウジングコンポーネント２０は半径方向に内側に突出するリング状の案内エレメント２７を更に有する。図１７ａ及び１７ｂにおいて示されているように、少なくとも第一の用量を投与する前及び最終的には後でさえ、殆どバックスラッシュなしで、ピストンロッド４０はハウジング３０中を半径方向に案内される。
【００８１】
図１９、２０、２１ａ及び２１ｂにおいて、本発明の別の簡略化された実施態様が、図１〜１８に関して使用されたものと同じ参照符号を使用して説明される。類似の機能又は幾何形状を有するコンポーネントに対しては、参照符号が１００だけ増分されている。
【００８２】
図１〜１８の実施態様とは対照的に、簡略化された実施態様１００は同じ幾何形状で、同じ距離のそして環状の突起１４８を有するピストンロッド１４０を含む。それに対応して、案内スリーブ１３０は、同じサイズのギャップを形成する同じ形状をした案内及び停止エレメント１６２を有する。
【００８３】
弾性的な先端７６の代わりに、ピストンロッド１４０の近位フランジ１４４はその凹部１７０の近くで、図２１ａ及び２１ｂにおいて説明されているように、三角形の鋸歯形を有する突起１７６を有する。案内スリーブ１３０の突起１７６及び突起１６０はピストンロッド４０の予期せぬ回転を防ぐために互いに寄りかかる。同様に、弾性的な先端７６に関連して述べられたように、先端１７６によってピストンロッド１４０の一方向性の回転運動が可能になる。一般的に、突起１７６及び弾性的な先端７６は任意に交換可能である。
【００８４】
案内スリーブ１３０と近位ハウジング１２０の間の回転ロックは、軸方向に伸びている突起１６４を用いて達成される。追加的に又は代替的に、案内スリーブ１３０及びハウジング１２０は、例えば、接着剤を用いて互いに堅く取り付けることができる。
【００８５】
図１９及び２０において最もよく見ることができるように、プッシュプルエレメント１５０は、近位ハウジングコンポーネント１２０の各溝１５６中を案内される、半径方向に突出する突起１５４を有する、半径方向に広げられた円筒部分１５１を含む。案内及び停止エレメント１６２の等距離配置のせいで、プッシュプルエレメント１５０の軸方向の移動は、用量設定及び用量投与の作用の各々に対して一定である。従って、溝１５６の軸方向の長さはそれに応じて設計でき得る。
【符号の説明】
【００８６】
１０  薬物送達デバイス
１２  遠位ハウジング
１４  ソケット
１６  容器
１８  ピストン
２０  近位ハウジング
２２  凹部
２４  戻り止め
２６  カラー
２７  案内エレメント
２８  リブ
３０  案内スリーブ
３１  ロックエレメント
３２  突起
３４  ギャップ
３６  貫通孔
３８  戻り止め
３９  凹部
４０  ピストンロッド
４２  遠位面
４４  フランジ
４６  環状突起
４８  環状突起
４９  カラー
５０  プッシュプルエレメント
５１  円筒部分
５２  切り欠き
５４  ねじ
６０  突起
６２  案内及び停止エレメント
６３  最後の用量停止部
６４  突起
６５  案内エレメント
６６  案内及び停止エレメント
６８  ギャップ
６９  軸距離
７０  凹部
７２  内側ねじ山
７４  ストッパー
７６  先端
１００  薬物送達デバイス
１２０  近位ハウジング
１３０  案内スリーブ
１４０  ピストンロッド
１４４  フランジ
１４８  環状突起
１５０  プッシュプルエレメント
１５１  円筒部分
１５４  突起
１５６  溝
１６０  突起
１６２  案内及び停止エレメント
１６４  突起
１７０ 凹部
１７６ 先端
【図１】
0005734288.tif 000002
【図２】
0005734288.tif 000003
【図３】
0005734288.tif 000004
【図４】
0005734288.tif 000005
【図５】
0005734288.tif 000006
【図６】
0005734288.tif 000007
【図７】
0005734288.tif 000008
【図８】
0005734288.tif 000009
【図９】
0005734288.tif 000010
【図１０】
0005734288.tif 000011
【図１１】
0005734288.tif 000012
【図１２】
0005734288.tif 000013
【図１３】
0005734288.tif 000014
【図１４ａ】
0005734288.tif 000015
【図１４ｂ】
0005734288.tif 000016
【図１５ａ】
0005734288.tif 000017
【図１５ｂ】
0005734288.tif 000018
【図１６ａ】
0005734288.tif 000019
【図１６ｂ】
0005734288.tif 000020
【図１７ａ】
0005734288.tif 000021
【図１７ｂ】
0005734288.tif 000022
【図１８ａ】
0005734288.tif 000023
【図１８ｂ】
0005734288.tif 000024
【図１９】
0005734288.tif 000025
【図２０】
0005734288.tif 000026
【図２１ａ】
0005734288.tif 000027
【図２１ｂ】
0005734288.tif 000028